【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
メモリに格納されたゲームプログラムに基づいてゲームの処理を実行する制御部と、エネミキャラクタを含む仮想空間を表示する表示部と、遊戯者が前記表示部の仮想空間に向かって射撃する複数の銃型コントローラとを有するゲーム装置であって、
前記複数の銃型コントローラのうちの第１の銃型コントローラは、
他の第２の銃型コントローラと組み合わされているか否かを検出するセンサを有し、
前記制御部は、
前記センサからの検出情報に基づいて、前記第１の銃型コントローラと前記第２の銃型コントローラとが組み合わされているか否かを判断する組み合わせ判断部と、
前記組み合わせ判断部により前記第１の銃型コントローラと前記第２の銃型コントローラとが組み合わされていないと判断されたときに分離モードに変更し、前記第１の銃型コントローラと前記第２の銃型コントローラとが組み合わされていると判断されたときに合体モードに変更するモード変更部と、
前記表示部に前記銃型コントローラの照準を表示する照準表示部であって、前記分離モードのときに前記第１の銃型コントローラの照準と前記第２の銃型コントローラの照準を前記表示部にそれぞれ表示し、前記合体モードのときに前記第１の銃型コントローラと前記第２の銃型コントローラに対応する単数の照準を前記表示部に表示する、照準表示部と、
を備えることを特徴とするゲーム装置。
【請求項２】
前記制御部は、前記射撃が前記エネミキャラクタにヒットしたときに与えるダメージ量を計算するダメージ量計算部であって、前記分離モードのときと前記合体モードのときとでは、前記射撃が前記エネミキャラクタにヒットしたときに与えるダメージ量を異ならせる、ダメージ量計算部を備える
こと特徴とする請求項１に記載のゲーム装置。
【請求項３】
前記制御部は、
前記銃型コントローラのトリガが押下されたか否かを判断するトリガ押下判断部と、
前記トリガ押下判断部により前記第１の銃型コントローラのトリガ又は前記第２の銃型コントローラのトリガが押下されたと判断されたときに、前記射撃を行う射撃開始部とを備え、
前記射撃開始部は、
前記分離モードの場合に、前記トリガ押下判断部により前記第１の銃型コントローラのトリガが押下されたと判断されたときに前記第１の銃型コントローラの照準に対して前記射撃を行い、前記第２の銃型コントローラのトリガが押下されたと判断されたときに前記第２の銃型コントローラの照準に対して前記射撃を行うものであり、
前記合体モードの場合に、前記トリガ押下判断部により前記第１の銃型コントローラのトリガ又は前記第２の銃型コントローラのトリガが押下されたと判断されたときに前記単数の照準に対して前記射撃を行うものである、
ことを特徴とする請求項１又は２に記載のゲーム装置。
【請求項４】
前記トリガ押下判断部は、前記銃型コントローラのトリガが押下され続けたか否かを判断し、
前記射撃開始部は、前記合体モードの場合に、前記トリガ押下判断部により前記第１の銃型コントローラのトリガ又は前記第２の銃型コントローラのトリガが押下され続けたと判断されたときに、前記単数の照準に対して前記射撃を連続して行う
ことを特徴とする請求項３に記載のゲーム装置。
【請求項５】
前記照準表示部は、前記分離モードのときに前記表示部に表示される前記第１の銃型コントローラの照準の大きさ又は前記第２の銃型コントローラの照準の大きさと、前記合体モードのときに前記表示部に表示される前記合体モード時用の照準の大きさとを異ならせる
ことを特徴とする請求項１乃至４のいずれかに記載のゲーム装置。
【請求項６】
前記ダメージ量計算部は、前記射撃が前記エネミキャラクタにヒットしたとき、当該エネミキャラクタを前記照準の中心に近い位置で捉えているほど、当該エネミキャラクタに与えるダメージ量を大きくする
ことを特徴とする請求項２に記載のゲーム装置。
【請求項７】
前記制御部は、前記照準の倍率を設定する照準倍率設定部であって、前記分離モードのときと前記合体モードのときとでは、前記照準の倍率を異ならせる、照準倍率設定部を備える
ことを特徴とする請求項１乃至６のいずれかに記載のゲーム装置。
【請求項８】
前記制御部は、
前記分離モードのときに、前記第１の銃型コントローラの照準と前記第２の銃型コントローラの照準とが重なっているか否かを判断する照準判断部と、
前記照準判断部により前記第１の銃型コントローラの照準と前記第２の銃型コントローラの照準とが重なっていると判断されたときに、前記第１の銃型コントローラのトリガと前記第２の銃型コントローラのトリガが同時に操作されたか否かを判断する分離モード時同時操作判断部と、
前記分離モード時同時操作判断部により前記第１の銃型コントローラのトリガと前記第２の銃型コントローラのトリガが同時に操作されたと判断されたときに、前記第１の銃型コントローラの照準と前記第２の銃型コントローラの照準の重なっている範囲について、前記第１の銃型コントローラによる射撃と前記第２の銃型コントローラによる射撃が前記エネミキャラクタにヒットしたときの動作を変更する第１ヒット動作変更部と
を備えることを特徴とする請求項１乃至７のいずれかに記載のゲーム装置。
【請求項９】
前記照準表示部は、前記合体モードのときに、前記第１の銃型コントローラの照準の位置と前記第２の銃型コントローラの照準の位置の中間の位置に前記合体モード時用の照準を前記表示部に表示する
ことを特徴とする請求項１乃至８のいずれかに記載のゲーム装置。
【請求項１０】
前記制御部は、
前記遊戯者の利き手を設定する利き手設定部と、
前記分離モードのときに、前記利き手設定部により設定された利き手に対応する第１の銃型コントローラによる射撃又は第２の銃型コントローラによる射撃が前記エネミキャラクタにヒットしたときの動作を変更する第２ヒット動作変更部と
を備えることを特徴とする請求項１乃至９のいずれかに記載のゲーム装置。
【請求項１１】
ゲーム装置に接続される複数の銃型コントローラのうち、他の銃型コントローラと組み合わされているか否かを検出するセンサを有するセンサ付き銃型コントローラであって、
前記センサ付き銃型コントローラは、
前記センサからの検出情報に基づいて、前記センサ付き銃型コントローラと他の銃型コントローラとが組み合わされているか否かを判断する組み合わせ判断部と、
前記組み合わせ判断部により前記センサ付き銃型コントローラと前記他の銃型コントローラとが組み合わされていないと判断されたときに分離モードに変更し、前記センサ付き銃型コントローラと前記他の銃型コントローラとが組み合わされていると判断されたときに合体モードに変更するモード変更部と、
前記ゲーム装置の表示部に前記銃型コントローラの照準を表示する照準表示部であって、前記分離モードのときに前記センサ付き銃型コントローラの照準と前記他の銃型コントローラの照準を前記表示部にそれぞれ表示し、前記合体モードのときに前記センサ付き銃型コントローラと前記他の銃型コントローラに対応する単数の照準を前記表示部に表示する、照準表示部と、
を備えることを特徴とするセンサ付き銃型コントローラ。
【請求項１２】
メモリに格納されたゲームプログラムに基づいてゲームの処理を実行する制御部と、エネミキャラクタを含む仮想空間を表示する表示部と、遊戯者が前記表示部の仮想空間に向かって射撃する複数の銃型コントローラとを有し、前記複数の銃型コントローラのうちの第１の銃型コントローラが、他の第２の銃型コントローラと組み合わされているか否かを検出するセンサを有するゲーム装置に対して、
前記センサからの検出情報に基づいて、前記第１の銃型コントローラと前記第２の銃型コントローラとが組み合わされているか否かを判断する第１のステップと、
前記第１のステップにおいて前記第１の銃型コントローラと前記第２の銃型コントローラとが組み合わされていないと判断したときに分離モードに変更し、前記第１の銃型コントローラと前記第２の銃型コントローラとが組み合わされていると判断したときに合体モードに変更する第２のステップと、
前記表示部に前記銃型コントローラの照準を表示する第３のステップであって、前記分離モードのときに前記第１の銃型コントローラの照準と前記第２の銃型コントローラの照準を前記表示部にそれぞれ表示し、前記合体モードのときに前記第１の銃型コントローラと前記第２の銃型コントローラに対応する単数の照準を前記表示部に表示する、第３のステップと、
を実行させることを特徴とするプログラム。
【請求項１３】
メモリに格納されたゲームプログラムに基づいてゲームの処理を実行する制御部と、エネミキャラクタを含む仮想空間を表示する表示部と、遊戯者が前記表示部の仮想空間に向かって射撃する複数の銃型コントローラとを有し、前記複数の銃型コントローラのうちの第１の銃型コントローラが、他の第２の銃型コントローラと組み合わされているか否かを検出するセンサを有するゲーム装置に対して、
前記センサからの検出情報に基づいて、前記第１の銃型コントローラと前記第２の銃型コントローラとが組み合わされているか否かを判断する第１のステップと、
前記第１のステップにおいて前記第１の銃型コントローラと前記第２の銃型コントローラとが組み合わされていないと判断したときに分離モードに変更し、前記第１の銃型コントローラと前記第２の銃型コントローラとが組み合わされていると判断したときに合体モードに変更する第２のステップと、
前記表示部に前記銃型コントローラの照準を表示する第３のステップであって、前記分離モードのときに前記第１の銃型コントローラの照準と前記第２の銃型コントローラの照準を前記表示部にそれぞれ表示し、前記合体モードのときに前記第１の銃型コントローラと前記第２の銃型コントローラに対応する単数の照準を前記表示部に表示する、第３のステップと、
を実行させるためのプログラムを記録したコンピュータ読み取り可能な記録媒体。